(57)【要約】【課題】遊技者がスピーカから出力される音を容易に聞取ることができるパチンコ機を提供すること。【解決手段】中枠３の前側にはコ字状のホーンケース５９が固定されており、ホーンケース５９には左側部および右側部のそれぞれに位置して出力部６２が形成されている。このホーンケース５９および中枠３相互間には管状のホーンが形成されており、ホーン内には２個のスピーカ４７が収納されている。この構成の場合、２個の出力部６２のそれぞれが図柄表示装置１９の液晶表示部２０と同一高さに配置されているので、遊技者の耳に近くなる。このため、２個の出力部６２のそれぞれから遊技者の耳に届くまでの間に音にパチンコホールの喧騒が乗り難くなるので、遊技者が音を聞取り易くなる。【選択図】図９
2008110257.tif 000002
【特許請求の範囲】
【請求項１】
パチンコ球が発射される遊技盤と、
前記遊技盤に設けられ、パチンコ球が入球することが可能な始動口と、
前記遊技盤に設けられ、パチンコ球が前記始動口に入球することに基づいて３列の図柄が相互に同一な組合せまたは相互に同一ではない組合せで表示される液晶表示部を有する図柄表示装置と、
前記遊技盤を支持する中枠と、
前記中枠の前側に設けられ、遊技者側である前方から見て前記中枠の左側辺部に沿う第１の部分と右側辺部に沿う第２の部分と上辺部に沿う第３の部分を有するコ字状をなす管状のホーンを前記中枠の前面と協働して構成するものであって前方から見てコ字状をなすと共に後面が前記中枠の前面によって閉鎖されたホーンケースと、
前記ホーンの内部のうち第３の部分に左に向けて設けられた第１のスピーカと、
前記ホーンの内部のうち第３の部分に右に向けて設けられ、前記第１のスピーカに比べて右方に配置された第２のスピーカと、
前記ホーンケースに前記ホーンの第１の部分に位置して設けられ、前記第１のスピーカが出力した音を前記ホーンの外部に放出する第１の出力部と、
前記ホーンケースに前記ホーンの第２の部分に位置して設けられ、前記第２のスピーカが出力した音を前記ホーンの外部に放出する第２の出力部を備え、
前記第１の出力部および前記第２の出力部のそれぞれは、前記図柄表示装置の液晶表示部と同一高さに配置されたものであって前方から見て前記図柄表示装置の液晶表示部を介して左右方向に相互に対向するものであることを特徴とするパチンコ機。
【発明の詳細な説明】
【技術分野】
【０００１】
本発明は、スピーカから出力部を通して外部に音を出力するパチンコ機に関する。
【背景技術】
【０００２】
上記パチンコ機には、図柄の変動時にスピーカから効果音を流すことに基づいてリーチを予告したり、大当りの発生時にスピーカから楽曲を流すことに基づいて大当りの雰囲気を盛上げる構成のものがある。
【特許文献１】実願平４−１３７７９号（実開平５−６３５８２号）のＣＤ−ＲＯＭ
【発明の開示】
【発明が解決しようとする課題】
【０００３】
この構成の場合、上皿に網目状の出力部を設け、スピーカから上皿の出力部を通して外部に音を出力していたので、音がパチンコホールの喧騒に邪魔され、遊技者の耳に届き難くかった。
【０００４】
本発明は上記事情に鑑みてなされたものであり、その目的は、遊技者がスピーカから出力される音を容易に聞取ることができるパチンコ機を提供することにある。
【課題を解決するための手段】
【０００５】
請求項１記載のパチンコ機は、パチンコ球が発射される遊技盤と、前記遊技盤に設けられパチンコ球が入球することが可能な始動口と、前記遊技盤に設けられパチンコ球が前記始動口に入球することに基づいて３列の図柄が相互に同一な組合せまたは相互に同一ではない組合せで表示される液晶表示部を有する図柄表示装置と、前記遊技盤を支持する中枠と、前記中枠の前側に設けられ遊技者側である前方から見て前記中枠の左側辺部に沿う第１の部分と右側辺部に沿う第２の部分と上辺部に沿う第３の部分を有するコ字状をなす管状のホーンを前記中枠の前面と協働して構成するものであって前方から見てコ字状をなすと共に後面が前記中枠の前面によって閉鎖されたホーンケースと、前記ホーンの内部のうち第３の部分に左に向けて設けられた第１のスピーカと、前記ホーンの内部のうち第３の部分に右に向けて設けられ前記第１のスピーカに比べて右方に配置された第２のスピーカと、前記ホーンケースに前記ホーンの第１の部分に位置して設けられ前記第１のスピーカが出力した音を前記ホーンの外部に放出する第１の出力部と、前記ホーンケースに前記ホーンの第２の部分に位置して設けられ前記第２のスピーカが出力した音を前記ホーンの外部に放出する第２の出力部を備え、前記第１の出力部および前記第２の出力部のそれぞれは前記図柄表示装置の液晶表示部と同一高さに配置されたものであって前方から見て前記図柄表示装置の液晶表示部を介して左右方向に相互に対向するものであるところに特徴を有する。
【発明の効果】
【０００６】
第１の出力部および第２の出力部のそれぞれが図柄表示装置の液晶表示部と同一高さに配置されているので、遊技者の耳に近付く。このため、第１の出力部および第２の出力部のそれぞれから遊技者の耳に届くまでの間に音に周囲の喧騒が乗り難くなるので、遊技者が音を聞取り易くなる。しかも、第１のスピーカおよび第２のスピーカのそれぞれを図柄表示装置の液晶表示部と同一高さに配置しなくて済むので、第１のスピーカおよび第２のスピーカのそれぞれの配置の自由度が高まる。
【発明を実施するための最良の形態】
【０００７】
以下、本発明の第１実施例を図１ないし図５に基づいて説明する。まず、図３において、外枠１は前後方向に短尺な角筒状をなすものであり、外枠１の前端面には、図１に示すように、下端部に位置して横長な下板部２が設けられ、下板部２の上方に位置して中枠３が左側辺部を中心に回動可能に装着されている。また、中枠３の後面には、図２に示すように、額縁状の取付枠４が固定されている。この取付枠４には、図１に示すように、遊技盤５が保持されており、遊技盤５の前面は取付枠４および中枠３を通して前方に露出している。
【０００８】
中枠３の内周面には矩形状の保持枠６が固定されており、保持枠６内には矩形状の金枠７が左側辺部を中心に回動可能に装着されている。この金枠７には透明なガラス窓（図示せず）が組込まれており、遊技盤５の前面はガラス窓によって前方から覆われている。また、中枠３の前面には右側部に位置して枠鍵８が装着されており、枠鍵８は中枠３および金枠７を閉鎖状態にロックしている。尚、符号９は枠鍵８を囲う枠飾りを示すものである。中枠３の下端部には下皿１０が固定されている。この下皿１０の右下部には発射ハンドル１１が回動可能に装着されており、発射ハンドル１１の後方には発射モータ１２（図３参照）が装着されている。この発射モータ１２の回転軸にはクランク機構（図示せず）を介して打球槌１３が連結されており、発射ハンドル１１が図１の時計回り方向へ回動操作されると、発射モータ１２に電源が与えられ、打球槌１３が軸１４を中心に繰り返し回動する。
【０００９】
中枠３内には下端部に位置して横長な皿板１５が左側辺部を中心に回動可能に装着されており、皿板１５には上皿１６が固定されている。この上皿１６内にはパチンコ球（図示せず）が貯溜されており、打球槌１３が回動すると、上皿１６内のパチンコ球が打球槌１３によって弾かれる。また、遊技盤５の前面には外レール１７および内レール１８が固定されており、打球槌１３によって弾かれたパチンコ球は外レール１７および内レール１８間を通して遊技盤５の上部に案内され、複数の障害釘（図示せず）に当りながら落下する。尚、複数の障害釘は遊技盤５の前面に打込まれたものである。
【００１０】
遊技盤５の前面には図柄表示装置１９が固定されている。この図柄表示装置１９は液晶表示部２０を有するものであり、遊技盤５の前面には図柄表示装置１９の下方に位置して始動口２１が固定されている。この始動口２１内には始動口センサ２２（図４参照）が配設されており、始動口センサ２２は始動口２１内にパチンコ球が入球することに基づいて入球信号を出力する。始動口センサ２２は、図４に示すように、メイン制御装置２３に接続されている。このメイン制御装置２３はマイクロコンピュータを主体に構成されたものであり、始動口センサ２２から入球信号が入力される時間的なタイミングに基づいて大当りおよび外れを判別したり、大当り図柄および外れ図柄を設定する。
【００１１】
メイン制御装置２３には表示制御装置２４が接続されており、表示制御装置２４にはドライブ回路２５を介して液晶表示部２０が接続されている。この表示制御装置２４はマイクロコンピュータを主体に構成されたものであり、メイン制御装置２３からの図柄表示指令に基づいて液晶表示部２０に各種の画面を表示する。以下、この画面の一例について説明する。表示制御装置２４は、図５の（ａ）に示すように、液晶表示部２０の左列，中列，右列の各図柄を変動させ、左列および右列をメイン制御装置２３からの図柄表示指令に応じた図柄で順次停止させる。図５の（ｂ）は左列および右列が同一図柄で停止したリーチ画面を示すものであり、表示制御装置２４は左列の図柄および右列の図柄を停止させると、中列をメイン制御装置２３からの図柄表示指令に応じた図柄で停止させる。図５の（ｃ）は中列が左列および右列と異なる図柄で停止した外れ画面を示すものであり、図５の（ｄ）は中列が左列および右列と同一図柄で停止した大当り画面を示すものである。
【００１２】
中枠３の前面には、図１に示すように、上端部に位置して枠ランプ２６が固定されている。この枠ランプ２６は、図４に示すように、メイン制御装置２３にドライブ回路２７を介して接続されており、メイン制御装置２３は大当りの発生時等に枠ランプ２６を点灯させ、パチンコホールの従業員等に大当りの発生を知らせる。遊技盤５の前面には、図１に示すように、始動口２１の下方に位置して大入賞口２７が固定されている。この大入賞口２７は扉２８を有するものであり、扉２８は大入賞口ソレノイド２９（図４参照）のプランジャに連結されている。この大入賞口ソレノイド２９は、図４に示すように、ドライブ回路３０を介してメイン制御装置２３に接続されており、メイン制御装置２３は大当りを判定することに基づいて大入賞口ソレノイド２９に電源を与える。すると、大入賞口ソレノイド２９のプランジャの移動に基づいて扉２８が回動し、大入賞口２７が開放される。
【００１３】
大入賞口２７内には大入賞口センサ３０が配設されている。この大入賞口センサ３０は大入賞口２７内にパチンコ球が入球することに基づいて入球信号を出力するものであり、賞球制御装置３１に接続されている。この賞球制御装置３１はマイクロコンピュータを主体に構成されたものであり、大入賞口センサ３０からの入球信号をカウントすることに基づいてパチンコ球の入球個数を計測する。
【００１４】
遊技盤５の後面には、図２に示すように、図柄表示装置１９の後方に位置してセンタカバー３２が固定されている。また、取付枠４にはメインセット３３が左側辺部を中心に回動可能に装着されている。このメインセット３３は、図３に示すように、取付枠４側へ回動した状態に保持されることに基づいてセンタカバー３２を囲う枠状をなすものであり、メインセット３３の後面には上端部に位置して球タンク３４が固定され、球タンク３４内にはパチンコ球が貯溜されている。メインセット３３の後面にはタンクレール３５および球払出しケース３６が固定されている。この球払出しケース３６内はタンクレール３５を介して球タンク３４内に通じており、球払出しケース３６内には球タンク３４内からタンクレール３５を通してパチンコ球が供給される。
【００１５】
球払出しケース３６内には球払出し機構が収納されている。この球払出し機構はスプロケット３７および球払出しソレノイド３８を有するものであり、スプロケット３７は球払出しソレノイド３８の駆動毎に設定ピッチだけ回動して球払出しケース３６内から設定個数のパチンコ球を送り出す。この球払出しソレノイド３８は、図４に示すように、賞球制御装置３１に接続されており、賞球制御装置３１は入球個数の計測結果に基づいて球払出しソレノイド３８を駆動制御し、球払出しケース３６内から計測結果に応じた個数のパチンコ球を払出す。
【００１６】
メインセット３３には、図３に示すように、上皿通路４０が設けられている。この上皿通路４０は球払出しケース３６内と上皿１６内とを繋ぐものであり、球払出しケース３６内から払い出されたパチンコ球は上皿通路４０を通して上皿１６内に供給される。また、メインセット３３には下皿通路４１が設けられている。この下皿通路４１は上皿１６内と下皿１０内とを繋ぐものであり、上皿１６内から溢れたパチンコ球は下皿通路４１を通して下皿１０内に供給される。尚、図１〜図３の符号４２は外枠１，下板部２，中枠３，取付枠４，遊技盤５，保持枠６，ガラス窓，金枠７，下皿１０，皿板１５，上皿１６，センタカバー３２，メインセット３３等を有する機本体を示すものである。
【００１７】
中枠３の前面には、図１に示すように、左右両側部に位置してスピーカボックス４３の縦長な取付板部４４が組付けられている。これら各スピーカボックス４３は前方から取付板部４４を通して中枠３に複数本のねじ４５を締め込むことに基づいて中枠３に固定されたものであり、図柄表示装置１９の液晶表示部２０と略同一高さに配置されている。各スピーカボックス４３は楕円孔状の低音用出力部４６を前板に有するバスレフ形のものであり、図２に示すように、各スピーカボックス４３の左右上下後面は密閉されている。また、左側のスピーカボックス４３の前板は左側から右側へ向うに従って後方へ傾斜し、右側のスピーカボックス４３の前板は右側から左側へ向うに従って後方へ傾斜している。
【００１８】
各スピーカボックス４３内にはスピーカ４７が収納されており、各スピーカ４７はスピーカボックス４３の前板に固定されている。これら各スピーカ４７は平面状の振動板（図示せず）を有するフラット形のものであり、各スピーカボックス４３の前板にはスピーカ４７の振動板に対向する出力部４８が形成されている。これら各出力部４８は円形孔からなるものであり、各出力部４８には、図１に示すように、前方から網４９が被せられている。
【００１９】
メイン制御装置２３には、図４に示すように、マイクロコンピュータを主体に構成された音響制御装置５０が接続されている。この音響制御装置５０は音響メモリ５１を内蔵するものであり、音響メモリ５１にはリーチの発生を予告する曲データ，リーチ発生時のドキドキ感を表現する曲データ，大当り発生時の喜びを表現する曲データ等が記憶されている。音響制御装置５０にはデジタルシグナルプロセッサ５２（ＤＳＰ５２）が接続されており、ＤＳＰ５２は音響制御装置５０から与えられる曲データを処理して演奏データを生成する。このＤＳＰ５２にはＤ／Ａコンバータ５３および増幅器５４を介して両スピーカ４７が接続されており、両スピーカ４７はＤＳＰ５２からＤ／Ａコンバータ５３および増幅器５４を通してアナログの演奏データが与えられることに基づいて曲データを演奏する。
【００２０】
メイン制御装置２３は、図５の（ａ）に示すように、液晶表示部２０に図柄の変動画面を表示しているときには音響制御装置５０に予告リーチ用の曲データの演奏を指令する。そして、両スピーカ４７からスピーカボックス４３の出力部４６および４８を通して予告リーチ用の曲を出力し、図柄の変動画面がリーチ画面に発展する期待感を高める。メイン制御装置２３は、図５の（ｂ）に示すように、液晶表示部２０にリーチ画面を表示しているときには音響制御装置５０にリーチ用の曲データの演奏を指令し、図５の（ｄ）に示すように、大当り画面を表示しているときには大当り用の曲データの演奏を指令する。そして、両スピーカ４７からスピーカボックス４３の出力部４６および４８を通してリーチ用の曲および大当り用の曲を出力し、リーチ画面が大当り画面に発展する期待感を高めたり、大当りが発生した喜びを高める。
【００２１】
上記第１実施例によれば、スピーカ４７の出力部４６および４８を図柄表示装置１９の液晶表示部２０と略同一高さに配置したので（図柄表示装置１９の高さの範囲内に配置したので）、スピーカ４７の出力部４６および４８が遊技者の耳に近付く。このため、出力部４６および４８から遊技者の耳に届くまでの間に音にパチンコホールの喧騒が乗り難くなるので、遊技者が音を聞取り易くなる。また、図柄表示装置１９の液晶表示部２０と略同一高さにスピーカボックス４３を配置し、スピーカボックス４３内にスピーカ４７を収納した。このため、スピーカ４７から出力部４６および４８を通して厚みがあるリアルな音が出力されるので、遊技のおもしろさが高まる。また、左側のスピーカボックス４３の出力部４６および４８を右側へ向って音を出力するように傾斜させ、右側のスピーカボックス４３の出力部４６および４８を左側へ向って音を出力するように傾斜させた。このため、各出力部４６および４８から遊技者の耳に向って音が直接的に出力されるので、遊技者が音を一層聞取り易くなる。
【００２２】
次に本発明の第２実施例を図６ないし図８に基づいて説明する。中枠３の左右両側部には、図７に示すように、円形孔状の出力部５５が形成されている。これら各出力部５５は図柄表示装置１９の液晶表示部２０と同一高さに位置するものであり、各出力部５５には、図６に示すように、前方から網４９が被せられている。また、中枠３の左右両側部には、図８に示すように、後面に位置してホーンケース５６が組付けられている。これら各ホーンケース５６は上下前面が開口するものであり、図７に示すように、中枠３の後面と協働して管状のホーン５７を構成している。
【００２３】
各ホーンケース５６は、図８に示すように、後方から複数の取付片５８を通して中枠３にねじ（図示せず）を締め込むことに基づいて中枠３に固定されたものであり、各ホーン５７の下端部は、図７に示すように、出力部５５に通じている。これら各ホーン５７の上端部にはスピーカ４７が固定されており、各スピーカ４７の振動板から出力される原音はホーン５７から出力部５５を通して外部に出力される。
【００２４】
上記第２実施例によれば、スピーカ４７を出力部５５にホーン５７を介して繋げたので、スピーカ４７を図柄表示装置１９と同一高さに配置しなくて済む。このため、スピーカ４７の配置の自由度が高まるので、スピーカ４７をスペース的に余裕がある機本体４２の上端部に配置できる。
【００２５】
次に本発明の第３実施例を図９および図１０に基づいて説明する。中枠３の前面には、図９に示すように、略コ字状のホーンケース５９が組付けられており、ホーンケース５９には枠ランプ２６が装着されている。このホーンケース５９は前方から複数の取付片６０を通して中枠３にねじ（図示せず）を締め込むことに基づいて中枠３に固定されたものであり、図１０に示すように、中枠３の前面と協働して管状のホーン６１を構成している。
【００２６】
ホーンケース５９の下端部には左右両側部に位置して出力部６２が一体形成されている。これら各出力部６２は前方へ指向する円筒状をなすものであり、図９に示すように、図柄表示装置１９の液晶表示部２０と同一高さに位置している。また、ホーン６１内には上端部に位置して２個のスピーカ４７が配設されている。このうち左方のスピーカ４７は振動板が左側を向き、右方のスピーカ４７は振動板が右側を向いており、各スピーカ４７から出力される原音は出力部６２から前方へ出力される。
【００２７】
上記第３実施例によれば、スピーカ４７を出力部６２にホーン６１を介して繋げた。このため、スピーカ４７を図柄表示装置１９の液晶表示部２０と同一高さに配置しなくて済むので、スピーカ４７の配置の自由度が高まる。
【００２８】
尚、上記第３実施例においては、両スピーカ４７間に遮音板を介在し、左方のスピーカ４７から左方の出力部６２のみを通して音を出力し、右方のスピーカ４７から右方の出力部６２のみを通して音を出力しても良い。また、上記第３実施例においては、ホーン６１内に２個のスピーカ４７を配設したが、これに限定されるものではなく、例えば１個のスピーカ４７を配設し、１個のスピーカ４７から両出力部６２を通して音を出力しても良い。また、上記第３実施例においては、左側の出力部６２を右側へ傾斜させ、右側の出力部６２を左側へ傾斜させても良い。この場合、各出力部６２から遊技者の耳に向って音が直接的に出力されるので、遊技者が音を一層聞取り易くなる。
【００２９】
また、上記第１ないし第３実施例においては、遊技盤５に図柄表示装置１９を組付けたが、これに限定されるものではなく、例えば図柄表示装置１９に換えて中央役物を組付けても良い。この中央役物は遊技盤５の始動口内にパチンコ球が入球することに基づいて開放動作を行うものであり、開放動作中に中央役物のＶゾーン内にパチンコ球が入球することに基づいて大当り動作を行う。また、上記第１ないし第３実施例においては、図柄表示装置１９に図柄変動画面，リーチ画面，大当り画面が表示されているときにスピーカ４７から音楽を出力したが、これに限定されるものではなく、例えば音楽に換えて効果音を出力しても良い。また、上記第１ないし第３実施例においては、図柄表示装置１９の画面に応じた音をスピーカ４７から出力したが、これに限定されるものではなく、例えば遊技者が発射ハンドル１１に触れたときに「いらっしゃいませ！  がんばって下さい！！」という音声を出力しても良い。  
【００３０】
上記実施例には特許請求の範囲に記載された発明に加えて次のその他発明１〜その他発明４のそれぞれが記載されている。
［その他発明１］
遊技盤を有する機本体と、前記機本体に設けられ出力部を通して外部に音を出力するスピーカとを備え、前記出力部が前記遊技盤の中央役物または図柄表示装置と略同一高さに配置されていることを特徴とするパチンコ機。
【００３１】
上記手段によれば、スピーカの出力部が中央役物または図柄表示装置と略同一高さに配置されているので、遊技者の耳に近付く。このため、出力部から遊技者の耳に届くまでの間に音に周囲の喧騒が乗り難くなるので、遊技者が音を聞取り易くなる。
［その他発明２］
機本体のうち遊技盤の中央役物または図柄表示装置と略同一高さに出力部を有するスピーカボックスが設けられ、スピーカが前記スピーカボックス内に収納されていることを特徴とするパチンコ機。
【００３２】
上記手段によれば、スピーカボックス内にスピーカが収納されているので、スピーカボックスの出力部から外部に出力される音に厚みができる。
［その他発明３］
出力部が遊技盤の中央役物または図柄表示装置と異なる高さに位置するスピーカにホーンを介して繋げられていることを特徴とするパチンコ機。
【００３３】
上記手段によれば、スピーカを図柄表示装置または中央役物と略同一高さに配置しなくて済むので、スピーカの配置の自由度が高まる。
［その他発明４］
出力部が遊技盤の左右両側に設けられ、左側の出力部が右側へ向って音を出力するように傾斜し、右側の出力部が左側へ向って音を出力するように傾斜していることを特徴とするパチンコ機。
【００３４】
上記手段によれば、各出力部から遊技者の耳に向って音が直接的に出力されるので、遊技者が音を一層聞取り易くなる。
【図面の簡単な説明】
【００３５】
【図１】本発明の第１実施例を示す図（全体構成を示す正面図）
【図２】図１のＸ−Ｘ線に沿う断面図（スピーカボックスは破断状態で示す）
【図３】全体構成を示す後面図
【図４】電気的構成を示すブロック図
【図５】図柄表示装置の画面を示す図
【図６】本発明の第２実施例を示す図１相当図
【図７】図６のＸ−Ｘ線に沿う断面図
【図８】図３相当図
【図９】本発明の第３実施例を示す図１相当図
【図１０】図９のＸ−Ｘ線に沿う断面図
【符号の説明】
【００３６】
５は遊技盤、１９は図柄表示装置、４２は機本体、４３はスピーカボックス、４６は出力部、４７はスピーカ、４８は出力部、５５は出力部、５７はホーン、６１はホーン、６２は出力部を示す。
【図１】
2008110257.tif 000003
【図２】
2008110257.tif 000004
【図３】
2008110257.tif 000005
【図４】
2008110257.tif 000006
【図５】
2008110257.tif 000007
【図６】
2008110257.tif 000008
【図７】
2008110257.tif 000009
【図８】
2008110257.tif 000010
【図９】
2008110257.tif 000011
【図１０】
2008110257.tif 000012